(57)【要約】【課題】スポットライトの放熱性を向上させる放熱構造を得る。【解決手段】スポットライト本体３のボディ３１に設けた略円筒状のリフレクタ収容部３１１の外周全周に対する約１／４の範囲を所定の間隔を介して被覆する対流カバー５３を設けると共に，対流カバー５３とリフレクタ収容部３１１外周間の間隔に，放熱フィン５２で区画された冷却風流路５５を形成し，好ましくはこの冷却風流路５５を，光の照射方向の前方側である一端５５ａ側から他端５５ｂ側に向けて徐々に断面積を狭める形状に形成する。このように構成することにより，図示の使用状態にあっては冷却風流路５５内に一端５５ａ側から他端５５ｂ側に向かう冷却風の流れが生じ，これにより放熱体５の熱交換による冷却が促進されて，スポットライト本体が好適に冷却される。【選択図】図１
2010251207.tif 000002
【特許請求の範囲】
【請求項１】
ボディ内にランプ及びリフレクタを収容し，照射開口を有するスポットライト本体と，前記ボディが，前記リフレクタの開口部外周を被覆し，且つ前記リフレクタの開口部前方を開放する開放端を備えた略筒状のリフレクタ収容部を含むスポットライトの前記ボディに取り付けられる放熱体であって，
前記リフレクタ収容部の前記開放端に着脱可能に取り付けられる筒状部と，該筒状部の外周面に取り付けられた複数の放熱フィンと，該複数の放熱フィンを介して前記筒状部に取り付けられた対流カバーを備え，
前記対流カバーは，前記リフレクタ収容部の外周の一部を被覆すると共に，
前記放熱フィンは，前記リフレクタ収容部の周方向に所定の間隔で，かつ，該フィンの長手方向を前記ボディの長手方向に略平行に延設され，該フィン間に複数の冷却風流路を形成することを特徴とするスポットライト用放熱体。
【請求項２】
前記冷却風流路を，前記筒状部側における一端側から他端側に向けて徐々に断面積を狭める形状に形成したことを特徴とする請求項１記載のスポットライト用放熱体。
【請求項３】
前記筒状部の内周面に多数の凹凸を形成したことを特徴とする請求項１又は２記載のスポットライト用放熱体。
【請求項４】
前記筒状部に，前記ランプの先端部を被覆するキャップ状のグレアシールドを着脱可能に取り付けたことを特徴とする請求項１〜４いずれか１項記載のスポットライト用放熱体。
【請求項５】
前記グレアシールドの内周面に多数の凹凸を形成したことを特徴とする請求項４記載のスポットライト用放熱体。
【請求項６】
ボディ内にランプ及びリフレクタを収容し，照射開口３０を有するスポットライト本体と，前記スポットライト本体を先端部に擺動可能に取り付けた吊下アーム２を備えると共に，前記ボディが，前記リフレクタの開口部外周を被覆し且つ前記リフレクタの開口部前方を開放する開放端を備えた略筒状のリフレクタ収容部を備えたスポットライトにおいて，
前記リフレクタ収容部の外周面に対して所定の間隔を介して配置され，前記リフレクタ収容部の外周を前記吊下アームと干渉しない位置で被覆する対流カバーと，
前記リフレクタ収容部の外周と前記対流カバー間の間隔を，前記リフレクタ収容部の周方向に仕切り，前記リフレクタ収容部の軸線方向に対して略平行な長さ方向を有する複数の冷却風流路を形成する複数の放熱フィンを設けたことを特徴とする放熱機構を備えたスポットライト。
【請求項７】
前記冷却風流路を，前記リフレクタ収容部の開放端側である一端側から他端側に向けて徐々に断面積を狭める形状に形成したことを特徴とする請求項６記載の放熱構造を備えたスポットライト。
【請求項８】
ボディ内にランプ及びリフレクタを収容したスポットライト本体と，前記スポットライト本体を先端部に擺動可能に取り付けた吊下アームを備えると共に，前記ボディが，前記リフレクタの開口部外周を被覆し，且つ前記リフレクタの開口部前方を開放する開放端を備えた略筒状のリフレクタ収容部を備えたスポットライトにおいて，
請求項１〜５いずれか１項記載の放熱体を，前記対流カバーが前記吊下アームと干渉しない位置となるよう前記スポットライト本体の前記ボディに取り付けたことを特徴とする放熱機構を備えたスポットライト。
【発明の詳細な説明】
【技術分野】
【０００１】
本発明はスポットライトの点灯時に生じる熱を効率良く放熱することができるスポットライト用放熱体及び放熱構造を備えたスポットライトに関する。
【背景技術】
【０００２】
特定の箇所を照らすスポットライトは，美術館や店舗等における展示物の照明等に広く使用されており，このようなスポットライトの一例として，図９，１０に示すスポットライト１００では，光源であるランプ１３２やこのランプ１３２が取り付けられるソケット１３３，ランプの光を前方に反射する碗形のリフレクタ１３４，その他の必要な機器をボディ１３１内に収容して形成したスポットライト本体１３０を，吊下アーム１２０の先端に擺動可能に取り付けると共に，吊下アーム１２０の上端部を天井や壁面等に取り付けたブラケット１７０等に回動可能に取り付けることで，スポットライト本体１３０による照射方向を可変とし，所望の方向に光を照射することができるように構成されている（特許文献１）。
【０００３】
以上のように構成されたスポットライト１００において，スポットライト本体１３０内に収容されたランプ１３２を点灯すると，このランプ１３２は光の他に熱を発生することから，この熱によってスポットライト本体１３０を構成する前述のリフレクタ１３４やボディ１３１が加熱される。
【０００４】
そして，このようにして加熱されたリフレクタ１３４やボディ１３１が十分に冷却されず，ボディ１３１内にランプ１３２の熱が籠もってボディ１３１内の温度が過度に上昇すると，ボディ１３１内に収容した機器がこの熱により破損するおそれがあると共に，ランプ１３２自体も過加熱により破裂，破損するおそれがある。
【０００５】
そのため，このようなスポットライト１００において，ランプ１３２の点灯により発生した熱によって加熱されたリフレクタ１３４やボディ１３１の熱を放熱するための各種の構造が提案されている。
【０００６】
一例として図１０に示す例では，前記ボディ１３１にリフレクタの開口部外周部分を被覆する略円筒状のリフレクタ収容部１３１ａと，ソケット１３３の外周部分を被覆するソケット収容部１３１ｃを設けると共に，前記リフレクタ収容部１３１ａとソケット収容部１３１ｃ間をリブ１３１ｄによって連結することで，リフレクタ収容部１３１ａとソケット収容部１３１ｃ間（リブ１３１ｄによる連結部分）のボディ１３１に，壁体によって覆われていない放熱部１３１ｂを形成し，リフレクタ１３４の後方外周部分に配置した放熱フィン１４１をこの放熱部１３１ｂにおけるボディ１３１内に収容することで，放熱フィン１４１と外気との熱交換によりリフレクタ１３４の冷却を行うことができるように構成したものがある（前掲の特許文献１）。
【０００７】
また，このような放熱部を備えていない密閉式ボディの外周面の一部に放熱フィンを設け，ボディの放熱を行うように構成した照明器具も提案されている（特許文献２）。
【０００８】
この発明の先行技術文献情報としては次のものがある。
【特許文献２】特開２００５−  ２６１３２号公報（図１，２）
【特許文献１】特開２００３−  ３１０２５号公報（図３）
【発明の概要】
【発明が解決しようとする課題】
【０００９】
前述した従来の照明器具のうち，特許文献１として紹介したスポットライト１００にあっては，ボディ１３１内に収容された放熱フィン１４１がボディ１３１に設けた放熱部１３１ｂを介して外部に露出していることから，放熱フィン１４１と外気との熱交換により，ランプ１３２によって加熱されたリフレクタ１３４を好適に冷却することができるものとなっている。
【００１０】
しかし，このように構成されたスポットライト本体１３０のボディ１３１には，図９及び図１０に示すように略円筒状に形成されたリフレクタ収容部１３１ａが設けられており，このリフレクタ収容部１３１ａによってランプ１３２とリフレクタ１３４の開口部分の外周が覆われていることから，この部分にランプ１３２で発生した熱が籠もりやすいものとなっている。
【００１１】
特に，スポットライト１００の存在を目立たなくすべくこれを小型化するために，ボディ１３１やリフレクタ１３４を小型化すれば，ランプ１３２を収容するための空間も狭まることとなる。
【００１２】
その一方で，このようにスポットライト本体１３０を小型化した場合においても必要な明るさを確保するために，ランプ１３２としてサイズ及びワット数が可及的に大きなものを使用すれば，ランプ１３２の外周がリフレクタ１３４やボディ１３１（リフレクタ収容部１３１ａの内周）に近付くこととなるために，更にリフレクタ収容部１３１ａ内にはランプ１３２で発生した熱が籠もり易く，また，リフレクタ１３４やリフレクタ収容部１３１ａが高温となり易い。
【００１３】
このようなリフレクタ収容部１３１ａにおける放熱を行うためには，リフレクタ収容部１３１ａの外周に放熱フィンを設ける等してその表面積を増大して放熱性を向上させることも考えられる。
【００１４】
しかし，ボディ１３１全体に対するリフレクタ収容部１３１ａの形成範囲は比較的狭く，その結果，放熱フィンを形成可能な面積も狭いだけでなく，放熱フィンはスポットライト本体１３０を擺動させた際に吊下アーム１２０と干渉しないように取り付ける必要があるために取り付け範囲にも制約がある。
【００１５】
その結果，リフレクタ収容部１３１ａの外周に単に放熱フィンを設けただけでは十分な放熱性の向上を得ることができず，これを補うために大型の放熱フィンを取り付ければスポットライト１００全体のデザイン上のバランスが崩れて見栄えが悪くなるだけでなく，スポットライト本体１３０の小型化の要請にも反するものとなる。
【００１６】
そこで本発明は，上記従来技術における欠点を解消するためになされたものであり，スポットライト本体に取り付けるだけで，スポットライトの放熱性を大幅に向上させることができるスポットライト用放熱体，及びスポットライトの放熱性を改善し得る放熱構造を備えたスポットライトを提供することを目的とする。
【課題を解決するための手段】
【００１７】
上記目的を達成するために，本発明のスポットライト用放熱体５は，ボディ３１内にランプ３２及びリフレクタ３４を収容し，照射開口３０を有するスポットライト本体３と，任意には，前記スポットライト本体３を先端部に擺動可能に取り付けた吊下アーム２を備えると共に，前記ボディ３１が，前記リフレクタ３４の開口部外周を被覆し，且つ前記リフレクタ３４の開口部前方を開放する開放端３１１ａを備えた略筒状のリフレクタ収容部３１１を含むスポットライト１の前記ボディ３１に取り付けて使用する放熱体５であり，
この放熱体５は，前記リフレクタ収容部３１１の前記開放端３１１ａに着脱可能に取り付けられ，前記リフレクタ収容部３１１を延長するよう形成された，筒状部５１と，該筒状部５１の外周面に取り付けられた複数の放熱フィン５２，５２’と，該複数の放熱フィン５２，５２’を介して前記筒状部５１に取り付けられた対流カバー５３を備え，
前記リフレクタ収容部３１１に対する前記筒状部５１の取り付け時には，
前記対流カバー５３は，前述のように，前記リフレクタ収容部３１１の外周面に対して所定の間隔を介して配置されて前記リフレクタ収容部３１１の外周の一部（図示の例にあっては外周全周に対する約１／４）の範囲を被覆すると共に，
前記放熱フィン５２，５２’（５２a,５２b）は，前記リフレクタ収容部３１１の外周と前記対流カバー５３間の空間を，前記リフレクタ収容部３１１の周方向に所定の間隔で，区画し，かつ，該フィン５２，５２’の長手方向を前記ボディ３１，従って，リフレクタ収容部３１１の長手方向，例えば，図１の軸線Ｃ方向に対して略平行に延長して設けられ，前記フィン５２，５２’間に，前記ボディ３１の長手方向に略平行な複数の冷却風流路５５を形成することを特徴とする（請求項１）。
【００１８】
前記構成の放熱体５において，前記冷却風流路５５を，筒状部５１側である一端５５ａ側から他端５５ｂ側に向けて徐々に断面積を狭める形状に形成することができる（請求項２）。
【００１９】
また，放熱体５に設けた前記筒状部５１の内周面には，溝を形成する等して多数の凹凸を形成するものとしても良い（請求項３）。
【００２０】
更に，前記筒状部５１には，ランプ３２の先端部を被覆するキャップ状のグレアシールド５４を着脱可能に取り付けるものとしても良く（請求項４），この場合，前記グレアシールド５４の内周面に溝を形成する等して，多数の凹凸を形成した構成とすることが好ましい（請求項５）。
【００２１】
また，本発明の放熱構造を備えたスポットライトは，前記同様の構成を備える前記スポットライト本体３を，先端部に擺動可能に取り付けた吊下アーム２を備えると共に，前記ボディ３１が，前記リフレクタ３４の開口部外周を被覆し且つ前記リフレクタの開口部前方を開放する開放端３１１ａを備えた略筒状のリフレクタ収容部３１１を備えたスポットライト１において，
前記リフレクタ収容部３１１の外周面に対して所定の間隔を介して配置されて前記リフレクタ収容部３１１の外周を前記吊下アームと干渉しない位置で被覆する対流カバー５３と，
前記リフレクタ収容部３１１の外周と前記対流カバー５３間の間隔を，前記リフレクタ収容部３１１の周方向に仕切り，前記リフレクタ収容部３１１の軸線方向に対して略平行な長さ方向を有する複数の冷却風流路５５を形成する複数の放熱フィン５２，５２’を設けたことを特徴とし（請求項６），好ましくは，前記冷却風流路５５を，リフレクタ収容部３１１の開放端側における一端５５ａ側から他端５５ｂ側に向けて徐々に断面積を狭める形状に形成する（請求項７）。
【００２２】
更に，同様の構成のスポットライト１において，前述したいずれかの放熱体５を，前記対流カバー５３が前記吊下アーム２と干渉しない位置となるように前記スポットライト本体３の前記ボディ３１に取り付けることにより，放熱構造を備えたスポットライトを構成するものとしても良い。
【発明の効果】
【００２３】
以上で説明した本発明の構成により，スポットライト１に上記放熱構造を設けることで，スポットライト１の冷却性能を大幅に向上させることができた。
【００２４】
すなわち，前述したように対流カバー５３とリフレクタ収容部３１１の外周間に放熱フィン５２，５２’によって仕切られた複数の冷却風流路５５を形成したことにより，この冷却風流路５５内の空気が加熱されて冷却風流路５５内外に温度差が生じると，冷却風流路５５内にはいずれか一方側の端部から他方側の端部に向かう空気流が生じ，これにより冷却風流路５５内で加熱された空気の排出と，冷却風流路５５内に対する外気の導入とが促進され，熱交換を効率良く行うことができた。
【００２５】
しかも，このような熱交換は，リフレクタ収容部３１１のみならず，放熱フィン５２，５２’，対流カバー５３，及び筒状部５１の全ての表面において行われるために，冷却風との接触面積が大きく，この点においても冷却効率を高めることができた。
【００２６】
また，このように冷却効率を高めることができた結果，吊下アーム２との干渉を避けるためにリフレクタ収容部３１１の周方向における一部，例えば外周全周に対する約１／４程度の範囲に対流カバー５３と放熱フィン５２，５２’とを設けるだけで十分な放熱性の向上を得ることができた。
【００２７】
前記冷却風流路５５を，筒状部５１乃至はリフレクタ収容部３１１の開放端３１１ａ側である一端５５ａ側から他端５５ｂ側に向けて徐々に断面積を狭める形状に形成したことにより，冷却風流路５５内を一端５５ａ側から他端５５ｂ側に向かって流れる冷却風の流れの発生を促進することができ，スポットライト本体３をより一層効率的に冷却することができた。
【００２８】
更に，筒状部５１の内周面に，例えば多数の溝等の凹凸を形成した構成にあっては，筒状部５１の表面積が増大するために更なる冷却効率の向上を図ることができた。
【００２９】
また，筒状部５１にグレアシールド５４を着脱可能に設けた構成にあっては，用途等に応じてグレアシールド５４の着脱を行うことにより，共通の放熱体５に汎用性を持たせることができた。
【００３０】
このようなグレアシールド５４を設ける場合，グレアシールド５４の内周面に対しても溝等の形成により多数の凹凸を形成して表面積を増大することで，放熱体５全体の放熱性を更に向上させることができた。
【図面の簡単な説明】
【００３１】
【図１】本発明の放熱構造を備えたスポットライトの斜視図。
【図２】本発明の放熱構造を備えたスポットライトの要部断面図。
【図３】放熱体の斜視図。
【図４】放熱体の（Ａ）は正面図，（Ｂ）は背面図。
【図５】放熱体の（Ａ）は平面図，（Ｂ）は底面図。
【図６】放熱体の（Ａ）は右側面図，（Ｂ）は図４（Ａ）のVI-VI線断面図。
【図７】グレアキャップを備えた放熱体の（Ａ）は正面図，（Ｂ）は背面図。
【図８】グレアキャップを備えた放熱体の（Ａ）は右側面図，（Ｂ）は図７（Ａ）のVIII-VIII線断面図。
【図９】従来のスポットライトの右側面図（特許文献１の図２）。
【図１０】従来のスポットライト本体の断面図（特許文献１の図１）。
【発明を実施するための形態】
【００３２】
次に，添付図面を参照しながら本発明のスポットライト用の放熱体５について説明する。
【００３３】
なお，以下の説明において，説明の便宜上，特に断りのない場合スポットライト本体３による光の照射方向，照射開口３０側の前方側を「前方」，これとは反対側を「後方」として説明する。
【００３４】
〔スポットライト〕
図１及び図２において，符号１は本発明の放熱体５を取り付けることにより形成された放熱構造を備えたスポットライトであり，このスポットライト１は，照射開口３０から光の照射を行うスポットライト本体３と，このスポットライト本体３を天井等より擺動可能に吊り下げる吊下アーム２によって構成されている。
【００３５】
このスポットライト本体３は，その外殻を構成するボディ３１内に，光の照射に必要な各種の構成機器を収容して形成されたものであり，図１，２に示す実施形態にあっては，このボディ３１として，リフレクタ３４の開口部外周を被覆する略円筒状に形成されたリフレクタ収容部３１１と，このリフレクタ収容部３１１の後方に設けられたソケット収容部３１３とを有すると共に，前記リフレクタ収容部３１１とソケット収容部３１３とをリブ３１４によって連結することで，リフレクタ収容部３１１とソケット収容部３１３間に放熱部３１２を形成しており，この放熱部３１２においてボディ３１内が外部に対して開放されたものとなっている。
【００３６】
このように形成されたボディ３１内に，光源であるランプ３２を取り付けるためのソケット３３，前記ソケット３３に取り付けられるランプ３２，及び前記ランプ３２によって発生した光を前方に向けて反射するリフレクタ３４を収容してスポットライト本体３を形成している（図２参照）。
【００３７】
前述のリフレクタ３４は，その開口部における外周縁に設けられたフランジ３４ａを，ボディ３１に設けたリフレクタ収容部３１１の内周に係止する等してボディ３１内に固定されていると共に，リフレクタ３４の後端に設けたランプ挿入孔３４ｂを介してランプ３２の後端をソケット収容部３１３内に収容されたソケット３３に取り付けることで，ランプ３２の発光部がリフレクタ３４内の所定の位置に配置された状態で，ランプ３２をボディ３１内に取り付けることができるように構成されている。
【００３８】
前述のソケット３３は，このソケット３３に取り付けられたランプ３２を電源に接続するためのケーブル３６に接続されており，これによりランプ３２が点灯可能となっていると共に，ランプ３２の点灯によって生じたボディ３１内の熱の一部は，前述の放熱部３１２を介してボディ３１外に放出することができるように構成されている。
【００３９】
以上のように構成されたスポットライト本体３には，このスポットライト本体３を吊下アーム２の先端に擺動可能に保持するための構造が設けられており，本実施形態にあっては，スポットライト本体３のボディ３１の幅方向における対称位置に，図１に示すように舌片状のステー３１５を設け，このステー３１５に形成したピン孔（図示せず）を介して逆コ字状に形成された吊下アーム２の先端間にスポットライト本体３を擺動可能に取り付けている。
【００４０】
もっとも，スポットライト本体３の吊下アーム２先端に対する取り付けは，アーム２の先端にスポットライト本体３を回動可能に保持し得るものであれば如何なる構造によって取り付けるものとしても良くその構成は図示の実施形態に限定されない。
【００４１】
また，スポットライト本体３の構成についても，光源であるランプ３２によって発生した光を所定の方向に照射し得るものであれば既知の各種構造を適用可能であり，例えば，スポットライト本体３を全体として角筒状に形成する等，各種構造への変更が可能である。
【００４２】
〔放熱体〕
図１，２において，符号５は本発明の放熱体５であり，図１，２に示す例では，この放熱体５をスポットライト本体３に取り付けることによりスポットライト１に放熱構造を設けている。
【００４３】
この放熱体５は，図３に示すように筒状部５１，複数の放熱フィン５２，５２’及び対流カバー５３によって構成されると共に，必要に応じて着脱されるシールドキャップ５４（図２参照）を備えている。
【００４４】
筒状部５１
放熱体５に設けられた前述の筒状部５１は，放熱体５をスポットライト本体３のボディ３１に取り付ける際，ボディ３１に設けた前述のリフレクタ収容部３１１の開放端３１１ａに取り付けられて，前述のリフレクタ収容部３１１を前方側に延長する。
【００４５】
図１及び図２に示すように，ボディ３１のリフレクタ収容部３１１を略円筒状に形成した実施形態の構成にあっては，放熱体５の筒状部５１についても同様に円筒状に形成しているが，例えばボディ３１に形成した前述のリフレクタ収容部３１１を角筒等のその他の形状に形成した場合には，放熱体５の筒状部５１についてもこのリフレクタ収容部３１１の形状に対応した形状とすることがてきる。
【００４６】
図示の実施形態にあっては，前述のリフレクタ収容部３１１に対する筒状部５１の取り付けを容易とするために，リフレクタ収容部３１１との連結側における筒状部５１の端部に，他の部分に比較して小径に形成した段部５１ａ〔図３，図６参照〕を設け，この段部５１ａを前記リフレクタ収容部３１１の開放端３１１ａに嵌合することで，リフレクタ収容部３１１に対して筒状部５１を取り付けることができるように構成している。
【００４７】
また，この筒状部５１の前方側における開口内には，この筒状部５１に対して更に必要に応じてフード６等を取り付けることができるよう，開口部内周に他の部分に対して大径に形成された嵌合部５１ｂを形成してフード６等の端部に形成した段部を受け入れることができるようにしている。
【００４８】
この筒状部５１の内周面には，好ましくは多数の凹凸を形成し，この筒状部５１内周面の表面積を増大して放熱性能を向上させるように構成しても良い。
【００４９】
この凹凸は，筒状部５１の内周面に例えば多数の溝をローレット状に形成することにより設けることができるが，筒状部５１の内周面の表面積を増大し得るものであれば，溝の形成方向は特に限定されず，また，溝に限らずにその他の方法，例えば多数のディンプルの形成等により凹凸を形成するものとしても良い。
【００５０】
放熱フィン５２，５２’
以上のように構成された筒状部５１の外周面には，図６（Ａ），（Ｂ）に示すように複数の放熱フィン５２，５２’の長手方向における一端５２ａ，５２ａ’側を取り付け，前記筒状部５１の後方側に，放熱フィン５２，５２’の他端５２ｂ，５２ｂ’側を突設させている。
【００５１】
この放熱フィン５２，５２’は，図示の例において円筒状に形成された筒状部５１の周方向における所定の範囲，図示の実施形態にあっては全周に対する約１／４（全周３６０°に対して９０°）の範囲〔図４（Ａ），（Ｂ）参照〕に，周方向に略等間隔に計８本の放熱フィン５２，５２’が取り付けられており，前述の筒状部５１をボディ３１に設けたリフレクタ収容部３１１の開放端に取り付けた際，図２に示すように放熱フィン５２の長辺が，リフレクタ収容部３１１の外周と接触乃至は近接した状態に配置されて，ボディ３１からの熱が放熱フィン５２，５２’に伝達されるように構成されている。
【００５２】
この放熱フィン５２は，放熱性の点でその表面積は大きい程良く，図示の実施形態にあっては図２に示すように，放熱体５をスポットライト本体３のボディ３１に取り付けた際，放熱フィン５２がリフレクタ収容部３１１を越えて放熱部３１２の外周にまで至る長さに形成している。
【００５３】
放熱フィン５２，５２’は，図４（Ａ），（Ｂ）において左右の両端に設けた放熱フィン５２’を除き，それぞれ前方側である一端５２ａ側から他端５２ｂ側に向かって徐々にその厚みが増大するテーパ状に形成されており，リフレクタ収容部３１１の外周と後述の対流カバー５３間の間隔をこの放熱フィン５２によって仕切ることによって形成される冷却風流路５５が，前方側における一端５５ａから，後方側である他端５５ｂに向かって徐々にその幅を狭める形状に形成されている。
【００５４】
なお，図示の実施形態にあっては，両端に設けた放熱フィン５２’を他の放熱フィン５２に比較して厚く形成することで，放熱体５全体の補強を図っているが，両端の放熱フィン５２’についても，これを他の放熱フィン５２と同様の形状に形成するものとしても良い。
【００５５】
対流カバー５３
筒状部５１の外周側における放熱フィン５２の長辺には，前述の対流カバー５３を取り付けることで，この対流カバー５３によって各放熱フィン５２，５２’間が相互に連結している。
【００５６】
この対流カバー５３は，放熱体５をスポットライト本体３のボディ３１に取り付けた際，リフレクタ収容部３１１の外周を所定の間隔を介して被覆することができるように形成されており，リフレクタ収容部３１１の外周面と対流カバー５３間の間隔が複数の放熱フィン５２，５２’によってリフレクタ収容部３１１の周方向に仕切られることで，複数の冷却風流路５５が形成される。
【００５７】
この対流カバー５３は，リフレクタ収容部３１１の周方向においては，前述した放熱フィン５２の取り付け範囲に対応して，ボディ３１のリフレクタ収容部３１１外周方向における一部を被覆するように構成したもので，図示の実施形態にあってはリフレクタ収容部３１１の全周に対する約１／４の範囲でその外周を覆っている〔図１，図４（Ａ），（Ｂ）参照〕。
【００５８】
また，リフレクタ収容部３１１の軸線Ｃ方向においてこの対流カバー５３は，リフレクタ収容部３１１の形成範囲の略全体を被覆するが，放熱部１３２の外周を覆わないようにそのサイズや形状が設定されている（図１，２）。
【００５９】
このように，スポットライト本体３のボディ３１に放熱部３１２が設けられている場合に，対流カバー５３が放熱部３１２の外周を被覆することがないように形成することで，放熱部３１２を介して行われる熱放出を妨げることがないように形成している。
【００６０】
この対流カバー５３は，図６（Ｂ）に示す断面において，外周面が平坦な直線状に形成されていると共に，内周面が前方側の一端５３ａ寄りに設けた所定の中間点Ｐｍから他端５３ｂに向けて厚みを減じる形状に形成されている。
【００６１】
その結果，筒状部５１の外周面と，前記対流カバー５３の内周面間に形成される前述の冷却風流路５５は，前方側の端部５５ａから前記中間点Ｐｍ置に至る迄，その高さを減じる形状に形成されていると共に，中間点Ｐｍから後方側の端部（他端５５ｂ）に向かって略一定の高さとなるように形成されている。
【００６２】
シールドキャップ５４
なお，図７，８に示す放熱体５は，図３〜６を参照して説明した放熱体５の筒状部５１に，更にランプ３２の前端部を被覆するシールドキャップ５４を取り付けたものであり，その他の構成は，図３〜６に示す放熱体５と同様である。
【００６３】
このシールドキャップ５４は，ランプ３２からの光が直接視界に入ることにより感じる不快な眩しさを低減すると共に，ランプ３２より直接照射開口３０前方に照射される光を遮って，リフレクタ３４による反射光のみを照明光として光のムラを無くし、光の均一性を保つもので必要に応じて放熱体５に取り付けて使用する。
【００６４】
このようなシールドキャップ５４の取り付けを可能とするために，シールドキャップ５４の外周上部の一部より突出する連結杆５６を設けると共に，この連結杆５６の端部を，筒状部５１の内周面に設けられた連結杆取付部５７にネジ止め等することで着脱可能に取り付けている。
【００６５】
このようにして，筒状部５１に設けた連結杆取付部５７に，シールドキャップ５４に設けた連結杆５６の一端を取り付けることにより，シールドキャップ５４は，図７（Ａ），（Ｂ）に示すように筒状部５１の中央に配置され，このようにしてシールドキャップ５４が取り付けられた放熱体５をスポットライト本体３に取り付けることで，ランプ３２の先端部分をこのシールドキャップ５４によって被覆することができるように構成されている。
【００６６】
このシールドキャップ５４の内周面には，好ましくは多数の凹凸，例えば溝図７（Ｂ）に示すようにローレット状に多数の溝を形成し，この溝の形成によってシールドキャップ５４の表面積を増大させて放熱性を向上させることが好ましい。
【００６７】
もっとも，シールドキャップ５４の内周面の表面積を増大させることが可能であれば，凹凸の形成は溝の形成に限定されず，各種の形状によって形成することができる。
【００６８】
以上のように，放熱体５の筒状部５１に対してシールドキャップ５４を着脱可能に取り付ける構成としたことにより，シールドキャップ５４が必要な場合にはシールドキャップ５４を取り付けた状態で，シールドキャップ５４が不要な場合には，連結杆取付部５７にネジ止め等された連結杆５６を取り外すことにより，共通の放熱体５を使用して現場作業等により比較的簡単な作業によって用途等に応じた変更が可能である。
【００６９】
〔使用方法及び作用〕
以上のように構成された放熱体５は，前述の筒状部５１に設けた段部５１ａを，ボディ３１に設けたリフレクタ収容部３１１の開口端３１１ａ内に嵌合することによりスポットライト本体３に取り付けられる。
【００７０】
このスポットライト本体３に対する放熱体５の取り付けは，吊下アーム２に対する軸支位置を中心にスポットライト本体３を擺動させた際に，対流カバー５３や放熱フィン５２，５２’が前記吊下アーム２と干渉しないように取り付け，好ましくは，図１に示す使用状態において，スポットライト本体３の上部側に前述の対流カバー５３が配置されるように取り付ける。
【００７１】
このようにしてスポットライト本体３に取り付けた放熱体５に対しては，図１，２に示すように筒状部５１に対して更にフード６等を取り付け，筒状部５１によって延長されたボディ３１のリフレクタ収容部３１１を，必要に応じて更に前方に延長するものとしても良い。
【００７２】
ここで，吊下アーム２によって天井や壁面の比較的高所に吊り下げた状態で使用されるスポットライト１では，一般に照明の対象となる展示物等はスポットライト本体３よりも低所に配置されているために，スポットライト本体３は，照射開口３０からの光の照射方向前方側を下方に向けた，図１に示す姿勢で使用される。
【００７３】
そして，スポットライト本体３に放熱体５を取り付けた状態でランプ３２を点灯すると，ランプ３２の点灯によって発生した熱は，リフレクタ３４やボディ３１を加熱すると共に，リフレクタ３４やボディ３１を介して伝わった熱は，放熱体５に伝わって放熱体５を加熱する。
【００７４】
放熱体５は，前述したように筒状部５１，放熱フィン５２，５２’及び対流カバー５３によって構成され，筒状部５１，放熱フィン５２，５２’及び対流カバー５３の表面積分，空気との接触面積が増大していることから，周辺の空気との接触による熱交換に伴う放熱性の向上が得られるだけでなく，前述したようにボディ３１のリフレクタ収容部３１１の外周と対流カバー５３間の間隔を放熱フィン５２，５２’によって仕切ることにより複数の冷却風流路５５を形成したことにより，冷却風流路５５内で加熱された冷却風の排気と，冷却風流路５５に対する外部の冷たい空気の導入とが促進される結果，放熱体５，従ってスポットライト本体３を効率良く冷却することができるものとなっている。
【００７５】
すなわち，スポットライト本体３のボディ３１や放熱体５の熱によって冷却風流路５５内の空気が加熱されると，この加熱された空気は上昇移動しようとする。
【００７６】
ここで，冷却風流路５５の上面は，図６（Ｂ）に示すように対流カバー５３によって塞がれているために，冷却風流路５５内の空気の垂直上昇はこの対流カバー５３によって阻まれ，対流カバー５３に衝突した後は，対流カバー５３に沿って高所側へ向かう流れとなる。
【００７７】
その結果，一例として図１に示す姿勢で使用されているスポットライト本体３に取り付けられた放熱体５にあっては，冷却風流路５５内で加熱された空気は，冷却風流路５５の他端５５ｂ〔図６（Ｂ）参照〕を介して冷却風流路５５外に排出される。
【００７８】
このようにし，冷却風流路５５内で加熱された空気が排出されると，冷却風流路５５の一端５５ａ側からは，流路外の比較的冷たい空気が導入され，このように冷却風流路５５では，加熱された空気の排出と，外気の導入とが絶えず行われるために，熱交換が効率的に行われる結果，スポットライト本体３を効率的に冷却することができるものとなっている。
【００７９】
特に前述したように，放熱フィン５２の厚みを一端５２ａ側から他端５２ｂ側に向かうに従い増大させた構造を採用することにより，及び／又は，対流カバー５３の中間位置Ｐｍから一端５３ａに至る厚みを減じるように構成することにより，冷却風流路５５を一端５５ａ側から他端５５ｂ側に向かうに従って徐々にその断面積が減少する形状に形成した場合には，このような冷却風の給排気を更に促進させることができるものとなっている。
【００８０】
すなわち，前述のようにして冷却風流路５５内に一端５５ａ側から他端５５ｂ側に向かう冷却風の流れが生じた場合，冷却風の流量が一定であれば，この冷却風の流れは流路面積が狭くなるにつれて流速を増す。
【００８１】
そして，流速の増加が生じると，ベルヌーイの定理より流速の増加部分における圧力は低くなることから，前述した冷却風流路５５の形状を採用する場合には，冷却風流路５５内に一端５５ａ側から他端５５ｂ側に向かって相対的に低圧となる圧力勾配が生じ，その結果，冷却風流路５５の一端５５ａ側から他端５５ｂ側に向かう冷却風流の発生が更に促進され，放熱体５の放熱性能のより一層の向上が得られるものとなっている。
【００８２】
一例として，図１，２に示す構造のスポットライライト１（７５Wランプ使用）において，放熱体５を取り付けていない状態でのランプ封止部の発熱温度は３８９℃であったのに対し，放熱体５を取り付けた状態では３４９℃にまで低下しており，上記放熱体５によって放熱性が大幅に向上していることが判る。
【００８３】
以上の説明では，スポットライト本体３のボディ３１とは別個に放熱体５を形成し，この放熱体５をスポットライト本体３のボディ３１に取り付けることにより，スポットライト１に放熱構造を付加するものとして説明したが，前述した放熱体５を別個に設けることなく，前記放熱体５と同様の構成をスポットライト本体３のボディ３１に直接形成するものとしても良い。
【００８４】
この場合には，図１〜８を参照して説明した放熱体５における筒状部５１を省略し，スポットライト本体３のボディ３１に設けたリフレクタ収容部３１１の外周に直接，前述した放熱フィン５２と対流カバー５３とを取り付けるものとしても良く，このように構成した場合においても，前述した放熱体５を取り付けた場合と同様，放熱性を向上させることができる。
【符号の説明】
【００８５】
１  スポットライト
２  吊下アーム
３  スポットライト本体
３０  開口
３１  ボディ
３１１  リフレクタ収容部
３１２  放熱部
３１３  ソケット収容部
３１４  リブ
３２  ランプ
３３  ソケット
３４  リフレクタ
３４ａ  フランジ
３４ｂ  ランプ挿入孔
３６  ケーブル
５  放熱体
５１  筒状部
５１ａ  段部
５１ｂ  嵌合部
５２  放熱フィン
５２ａ  一端
５２ｂ  他端
５３  対流カバー
５３ａ  一端
５３ｂ  他端
５４  シールドキャップ
５５  冷却風流路
５５ａ  一端
５５ｂ  他端
５６  連結杆
５７  連結杆取付部
６  フード
１００  スポットライト
１２０  吊下アーム
１３０  スポットライト本体
１３１  ボディ
１３１ａ  リフレクタ収容部
１３１ｂ  放熱部
１３１ｃ  ソケット収容部
１３１ｄ  リブ
１３２  ランプ
１３４  リフレクタ
１４１  放熱フィン
【図１】
2010251207.tif 000003
【図２】
2010251207.tif 000004
【図３】
2010251207.tif 000005
【図４】
2010251207.tif 000006
【図５】
2010251207.tif 000007
【図６】
2010251207.tif 000008
【図７】
2010251207.tif 000009
【図８】
2010251207.tif 000010
【図９】
2010251207.tif 000011
【図１０】
2010251207.tif 000012